(57)【要約】      （修正有）【目的】コインホルダの外周面に所有者のイニシャルや名前、記念日等の表示や各種のメッセージ等を表示することにより、全体の装飾性や見映えの悪化を解消するコインホルダを提供する。【解決手段】コインホルダは、コイン状装飾本体の外周面に取り付けられるリング部と、リング部の両側においてコイン状装飾本体の外縁を挟むフランジ部とからなり、リング部の外周面に文字、図形、記号類を表記した表記部を設けたことを特徴とする。【選択図】図１
0003205622.tif 000002
【実用新案登録請求の範囲】
【請求項１】
コイン状装飾本体の外周面に取り付けられるリング部と、このリング部の両側において前記コイン状装飾本体の外縁を挟むフランジ部とからなるコインホルダにおいて、リング部の外周面に文字、図形、記号類を表記した表記部を設けたことを特徴とするコインホルダ。
【請求項２】
前記リング部の外周面に形成した文字、図形、記号類からなる表記部は、イニシャルや名前、記念日の表示や各種のメッセージを含むようにしたことを特徴とする請求項１に記載のコインホルダ。
【請求項３】
前記コイン状装飾本体を収納したコインホルダは、ペンダントやブローチを含む装身具に使用できるようにしたことを特徴とする請求項１または２に記載のコインホルダ。
【考案の詳細な説明】
【技術分野】
【０００１】
本考案はペンダント等として使用するに適したコインホルダに関するものである。
【背景技術】
【０００２】
従来、ペンダント等として使用するに適したコインホルダとしては以下のような例が知られている。
先ず、実開平１−８００１５号公報（特許文献１参照）に示すペンダント用コインホルダは、左右に低い側板を有する断面がコ字状の部材を側板が内側に位置するようにして一部が切断された環状に形成された枠体と、この枠体の切断端間を外側から連結する逆Ｕ字状の連結枠とを有し、前記側板間の間隔はコインの厚みとほぼ等しくしたものである。
【０００３】
また、特開平８−３３６４５４号公報（特許文献２参照）に示すコイン状装飾本体ホルダは、コイン状装飾本体の外周面を覆うリング部と、このリング部の両側より前記コイン状装飾本体の周縁を挟むフランジ部と、からなるコイン状装飾本体ホルダにおいて、リング部内周面にコイン状装飾本体の外周面に接する突起を形成したものである。
【先行技術文献】
【特許文献】
【０００４】
【特許文献１】実開平１−８００１５号公報
【特許文献２】特開平８−３３６４５４号公報
【考案の概要】
【考案が解決しようとする課題】
【０００５】
しかしながら、前記先行技術に示されたコインホルダはいずれも、コインをどのように保持して機能性や装飾性のあるものにするかを重要な課題とするものであった。
なお従来、コインホルダの前面または後面（コインの前面または後面）に例えば所有者のイニシャルや名前、記念日等の表示や各種のメッセージ等を表記することが行われているが、コインの表示面以外にコインホルダの前面に表記されているものがあった場合に全体としての装飾性が損なわれ、見映えが悪くなってしまったり、イニシャルや名前等が表示されていると個人情報の流出につながってしまう恐れがあるという点については何も配慮されていなかった。
本考案は、このような従来の欠点に鑑みてなされたものであって、コインホルダの外周面に前記所有者のイニシャルや名前、記念日等の表示や各種のメッセージ等を表示して従来のコインホルダの問題点を解消することを目的とするものである。
【課題を解決するための手段】
【０００６】
すなわち本考案のコインホルダは、コイン状装飾本体の外周面に取り付けられるリング部と、このリング部の両側において前記コイン状装飾本体の外縁を挟むフランジ部とからなるコインホルダにおいて、リング部の外周面に文字、図形、記号類を表記した表記部を設けたことを特徴とするものである。
【０００７】
本考案のコインホルダにおいて、前記リング部の外周面に形成した文字、図形、記号類からなる表記部は、イニシャルや名前、記念日の表示や各種のメッセージを含むようにしたことをも特徴とするものである。
【０００８】
本考案のコインホルダにおいて、前記コイン状装飾本体を収納したコインホルダは、ペンダントやブローチを含む装身具に使用できるようにしたことをも特徴とするものである。
【考案の効果】
【０００９】
本考案のコインホルダは、以上のようにペンダントやブローチ等の装身具に使用する場合に発信したいこと、例えば所有者のイニシャルや名前、記念日等の表示や各種のメッセージ等をコインホルダの外周面に表記して、従来のコインホルダの問題点を解消したものである。
前記表示や表記は、予め注文の際にメーカに依頼しておいたり、販売店の店頭において刻印によって実施することができ、ブライダル商品や贈答品として喜ばれるものとすることができる。
また、コイン状装飾本体そのものには刻印等を施す必要がなく、コイン状装飾本体の価値を減じるおそれがない。
【図面の簡単な説明】
【００１０】
【図１】本考案のコインホルダの実施の形態を示す斜視図である。
【図２】コインホルダにコイン状装飾本体を取り付ける段階を示し、（ａ）は両者を組み付ける前の側面図、（ｂ）は両者を組み付けた状態の断面図、（ｃ）はコイン状装飾本体を抜け止めした状態の断面図である。
【図３】コインホルダにコイン状装飾本体を組み付ける前の斜視図である。
【図４】コインホルダにコイン状装飾本体を組み付けた状態の斜視図である。
【図５】コイン状装飾本体を抜け止めした状態の斜視図である。
【図６】（ａ）はその正面図、（ｂ）はその側面図である。
【図７】それを表側から見た斜視図である。
【考案を実施するための形態】
【００１１】
以下、本考案のコインホルダを図面に基いて詳細に説明する。
本考案のコインホルダの実施の形態を示す図１ないし図７において、本考案のコインホルダ１１は、コイン状装飾本体２１の外周面に取り付けられるリング部１２と、このリング部１２の両側において前記コイン状装飾本体２１の外縁を挟むフランジ部１３とからなるものであり、外周に取り付けた丸環１４を介してチェーン類を挿通するバチカン１５に連結されている。
そして本考案のコインホルダ１１は、リング部１２の外周面に文字、図形、記号類を表記した表記部１６を設けたことを特徴としている。図において前記表記部１６には、例えば誕生日の日付である「９／２３」と名前である「Ｈａｒｕｔｏ」、そして両者の間に配置した「星マーク」が刻印等によって表示されている。
【００１２】
図２ないし図７にコイン状装飾本体２１をコインホルダ１１に取り付ける機構について説明する。
前記コインホルダ１１は、上述のようにコイン状装飾本体２１の外周面に取り付けられるリング部１２と、このリング部１２の両側において前記コイン状装飾本体２１の外縁を挟むフランジ部１３とを備えている。
先ず、図２（ａ）および図３に示すように、リング部１２の片側に設けたフランジ部１３に向けてコインホルダ１１内に前記コイン状装飾本体２１を押し込む。図２（ｂ）および図４はコインホルダ１１内に前記コイン状装飾本体２１が押し込まれた状態を示すものである。最後に、図２（ｃ）および図５に示すように、リング部１２のもう一方の側に設けた複数の係止片１３ａを前記コイン状装飾本体２１の外面に倒せば、該係止片１３ａがこちらの面のフランジ部（１３）となり、コインホルダ１１へのコイン状装飾本体２１の組み付けが完了する。図６（ａ），（ｂ）、図７は組み付けの完成状態を示すものである。
もちろん、爪止めのような係止片１３ａを用いた組み付け方法は１例に過ぎず、コイン状装飾本体２１の全周を止める伏せ込み、あるいはその他適宜の組み付け方法を採用することができる。
また、コイン状装飾本体２１の片面もしくは両面に擦り傷等を防止する保護ガラスを介在させてもよいことは勿論である。
【００１３】
本考案のコインホルダ１１においては、前記リング部１２の外周面に形成した文字、図形、記号類からなる表記部１６は、上述のようなイニシャルや名前、記念日の表示のみならず、好みの図柄や各種のメッセージを含むことも可能である。
本考案のコインホルダ１１は、以上のようにペンダントやブローチ等の装身具に使用する場合に発信したいこと、例えば所有者のイニシャルや名前、記念日等の表示や各種のメッセージ等をコインホルダの外周面に表記して、従来のコインホルダ１１の問題点を解消したものである。
【産業上の利用可能性】
【００１４】
本考案はペンダントやブローチ等の装身具用に用いるコインホルダとしてのみならず、コイン状装飾本体を収納保持するものであればその他の用途にも利用できることはいうまでもない。
【符号の説明】
【００１５】
１１  コインホルダ
１２  リング部
１３  フランジ部
１３ａ  係止片
１４  丸環
１５  バチカン
１６  表記部
２１  コイン状装飾本体
【図１】
0003205622.tif 000003
【図２】
0003205622.tif 000004
【図３】
0003205622.tif 000005
【図４】
0003205622.tif 000006
【図５】
0003205622.tif 000007
【図６】
0003205622.tif 000008
【図７】
0003205622.tif 000009